(57)【特許請求の範囲】
【請求項１】
識別情報が付された帯状のシールと、該シールが周囲に貼付されたリールとを有し、該リールが回転することで識別情報を変動表示する変動表示装置を備え、
前記変動表示装置における識別情報の表示結果が、予め定められた特定表示結果になることに関連して、特定遊技状態を発生し得る遊技機において、
前記リールは、
一対のリール部と、
該一対のリール部の軸心を一致させた状態で、当該一対のリール部同士を接続する接続部と、
を備え、
前記接続部のうち、前記シールの貼付起点となる部位に、該シールの厚み逃げ用の窪み部を有し、
前記窪み部の起立壁に対して、前記シールの一端面を臨ませて、当該シールをリールの周囲に貼付することを特徴とする遊技機。
【請求項２】
識別情報が付された帯状のシールと、該シールが周囲に貼付されたリールとを有し、該リールが回転することで識別情報を変動表示する変動表示装置を備え、
前記変動表示装置における識別情報の表示結果が予め定められた特定表示結果になることに関連して、特定遊技状態を発生し得る遊技機において、
前記リールは、
一対のリール部と、
該一対のリール部の軸心を一致させた状態で、当該一対のリール部同士を接続する接続部と、
を備え、
前記接続部のうち、前記シールの貼付起点となる部位に凸部を有し、
前記凸部の起立壁に前記シールの両端面を当接させて、当該シールをリールの周囲に貼付することを特徴とする遊技機。
【請求項３】
前記窪み部の幅は、前記接続部の長手方向の端から端に亘って前記シールと同じ幅に形成され、
前記起立壁の高さは、前記シールの厚さと略同一に設定されていることを特徴とする請求項１記載の遊技機。
【請求項４】
前記凸部の起立壁の高さは、前記シールの厚さと略同一に設定されていることを特徴とする請求項２記載の遊技機。
【発明の詳細な説明】
【０００１】
【発明の属する技術分野】
本発明は、識別情報が付された帯状のシールと、シールが周囲に貼付されたドラムリールを有し、ドラムリールが回転することで識別情報を変動表示する変動表示装置を備える遊技機に関する。
【０００２】
【従来の技術】
変動表示装置を備えた従来の遊技機としては、例えば、変動表示装置の複数列の変動表示領域で図柄（識別情報）を変動表示し、各変動表示領域の表示結果が予め定められた大当り出目（特定表示結果）になることに関連して特定遊技状態を発生し、遊技者に有利な状態を付与可能なものがある。
このような遊技機における変動表示装置としては、外周面に図柄を付したドラムリールを機械的に回転させることで図柄の変動表示を行うものが提案されていた。
【０００３】
詳細には、図７に示すように、図柄が描かれた帯状のシール２０Ｓをドラムリール２０ａの外周を一周させて貼付することで、ドラムリール２０ａの外周面に図柄が付された構成となっていた。さらに、シール２０Ｓの両端の継ぎ目では、シール２０Ｓの両端部がドラムリール２０ａの外周の一部で重複するように貼付されていた。加えて、シール２０Ｓの貼付に際しては、シール２０Ｓを、ドラムリール２０ａに対し所定位置に貼り付ける必要がある。
【０００４】
【発明が解決しようとする課題】
しかしながら、上記従来の遊技機では、シール２０Ｓの両端の継ぎ目においては、シール２０Ｓが重複する重複部Ｃ´となっており、この重複部Ｃ´では、シール２０Ｓの厚み分だけ該シール２０Ｓがドラムリール２０ａの外周側に突出してしまうため、ドラムリール２０ａの回転中においても、シール２０Ｓの両端の継ぎ目が遊技者から視認しやすい構成であった。
よって、視認しやすい継ぎ目のために、いわゆる目押しが容易になる虞があった。具体的には、所望の図柄を変動表示領域に停止させるように目押しするためのタイミングが、継ぎ目が変動表示領域を通過するタイミングを目安にして遊技者に認識されてしまう虞があった。遊技者の中には、ドラムリール２０ａの回転中に継ぎ目を視認できる遊技者と、そうでない遊技者がいるため、このように継ぎ目を目安にした目押しが可能となることは、著しく遊技の公平性を欠くことになっていた。
また、継ぎ目の重複部Ｃ´がドラムリール２０ａの外周側に突出していることにより、ドラムリール２０ａの空気抵抗が増し、ドラムリール２０ａのスムーズな回転の妨げになるとともに、空気抵抗によりシール２０Ｓが剥がれてしまう可能性があった。
さらに、シール２０Ｓは、ドラムリール２０ａに対し所定位置に貼り付けなければならないものであるにも関わらず、貼付の際の基準となるものがなかったため、シール２０Ｓをドラムリール２０ａに対して所定位置に貼付けるのが容易でなかった。
【０００５】
この発明は、上記のような問題点を解決するためになされたもので、シールの両端部の継ぎ目を見えにくくすることで、全ての遊技者に公平な遊技機を提供することを目的とする。
【０００６】
【課題を解決するための手段】
上記課題を解決するため、
請求項１記載の発明は、識別情報が付された帯状のシールと、該シールが周囲に貼付されたリールとを有し、該リールが回転することで識別情報を変動表示する変動表示装置を備え、前記変動表示装置における識別情報の表示結果が予め定められた特定表示結果になることに関連して、特定遊技状態を発生し得る遊技機において、前記リールは、一対のリール部と、該一対のリール部の軸心を一致させた状態で、当該一対のリール部同士を接続する接続部と、を備え、前記接続部のうち、前記シールの貼付起点となる部位に、該シールの厚み逃げ用の窪み部を有し、前記窪み部の起立壁に対して、前記シールの一端面を臨ませて、当該シールをリールの周囲に貼付することを特徴としている。
【０００７】
ここで、本発明では、窪み部の起立壁に対し、間隙を挟まずシールの一端面が臨む、即ち、シールの一端面が起立壁に当接するようになっていてもよいし、あるいは、窪み部の起立壁に対し、間隙を挟んで、シールの一端面が臨むようになっていてもよい。
また、シールの両端部の継ぎ目において、シールの両端部が重複する重複部が生じるようにしてもよいし、あるいは、シールの両端部の継ぎ目において重複部が生じないようにしてもよい。
【０００８】
この請求項１記載の発明によれば、リールは、一対のリール部と、この一対のリール部の軸心を一致させた状態で、一対のリール部同士を接続する接続部と、を備え、この接続部のうち、シールの貼付起点となる部位に、シールの厚み逃げ用の窪み部を有し、この窪み部の起立壁に対して、シールの一端面を臨ませて、シールをリールの周囲に貼付するので、シールの両端部の継ぎ目において、シールの両端部が重複する重複部が生じる場合には、この重複部がリールの外周側に突出することを極力抑えられる。また、シールの両端部の継ぎ目において重複部が生じない場合にも、シールがリールの外周側に突出することを極力抑えられる。
よって、動体視力の優れた特定の遊技者などにシールの両端部の継ぎ目を認識される可能性が低く、継ぎ目を基準にして、いわゆる目押しがしにくいため、従来の遊技機と比較して全ての遊技者に公平であるといえる。
加えて、継ぎ目がリールの外周側に突出することが極力抑えられることによって、リールの空気抵抗を低減でき、よりスムーズなリールの回転が可能であると共に、シールの端部が空気抵抗により剥がれにくくすることができる。しかも、シール貼付起点となる接続部に窪み部が設けられるので、シール貼付時の初期位置の決めになり、容易にシールをリールに対して貼付けることができる。
【０００９】
請求項２記載の発明は、識別情報が付された帯状のシールと、該シールが周囲に貼付されたリールとを有し、該リールが回転することで識別情報を変動表示する変動表示装置を備え、
前記変動表示装置における識別情報の表示結果が予め定められた特定表示結果になることに関連して、特定遊技状態を発生し得る遊技機において、
前記リールは、
一対のリール部と、
該一対のリール部の軸心を一致させた状態で、当該一対のリール部同士を接続する接続部と、
を備え、
前記接続部のうち、前記シールの貼付起点となる部位に凸部を有し、
前記凸部の起立壁に前記シールの両端面を当接させて、当該シールをリールの周囲に貼付することを特徴としている。
【００１０】
この請求項２記載の発明によれば、リールは、一対のリール部と、この一対のリール部の軸心を一致させた状態で、一対のリール部同士を接続する接続部と、を備え、この接続部のうち、シールの貼付起点となる部位に、凸部を有し、この凸部の起立壁に対しシールの両端面を当接させて、シールをリールの周囲に貼付するので、シールがリールの外周側に突出することを極力抑えられる。
よって、動体視力の優れた特定の遊技者などにシールの両端部の継ぎ目を認識される可能性が低く、継ぎ目を基準にして、いわゆる目押しがしにくいため、従来の遊技機と比較して全ての遊技者に公平であるといえる。
加えて、継ぎ目がリールの外周側に突出することが極力抑えられることによって、リールの空気抵抗を低減でき、よりスムーズなリールの回転が可能であると共に、シールの端部が空気抵抗により剥がれにくくすることができる。シール貼付起点となる接続部に凸部が設けられるので、シール貼付時の初期位置の決めになり、容易にシールをリールに対して貼付けることができる。
【００１１】
請求項３記載の発明は、請求項１記載の遊技機において、
前記窪み部の幅は、前記接続部の長手方向の端から端に亘って前記シールと同じ幅に形成され、前記起立壁の高さは、前記シールの厚さと略同一に設定されていることを特徴としている。
【００１２】
この請求項３記載の発明によれば、窪み部の起立壁の高さは、シールの厚さと略同一に設定されているので、シールの両端部の継ぎ目がより認識されにくい構成とすることができる。
具体的には、継ぎ目において重複部が生じる構成の場合には、遊技者の側から見て、シールの他端側の一本の線のみが視認可能な構成とすることができる。
他方、継ぎ目において重複部が生じない構成の場合には、遊技者の側から見て継ぎ目が全く視認できない構成とすることができる。
また、シールをリールに貼る際には、シールの一端部がシールの幅方向の全域に亘って、窪み部により位置決めされる。従って、貼付作業を失敗することなく確実にシールを貼付することができる構成となっている。
【００１４】
請求項４記載の発明は、請求項２記載の遊技機において、
前記凸部の起立壁の高さは、前記シールの厚さと略同一に設定されていることを特徴としている。
【００１５】
この請求項４記載の発明によれば、凸部の起立壁の高さは、シールの厚さと略同一に設定されているので、遊技者の側から見て、シールの両端部の継ぎ目が全く視認できない構成とすることができる。
【００１６】
【発明の実施の形態】
以下、図面を参照して、本発明の実施の形態について説明する。
本実施の形態は、本発明に係る遊技機の適例としてのパチスロ遊技機について説明を行うものである。
【００１７】
本発明に係るパチスロ遊技機１００は、例えば、図５に示すように、ドラムリール（リール）２０ａはシール２０Ｓの貼付起点にシール２０Ｓの厚み逃げ用の窪み部２０ｄを有しており、この窪み部２０ｄの起立壁２０ｅに対し、シール２０Ｓの一端面Ｔ１が臨むようにして、シール２０Ｓがドラムリール２０ａの周囲に貼付された構成とすることにより、シール２０Ｓの両端部の継ぎ目において、シール２０Ｓの両端部が重複する重複部Ｃがドラムリール２０ａの外周側に膨らむことを極力抑えることを可能とし、これにより、動体視力の優れた特定の遊技者などにシール２０Ｓの継ぎ目を目安にして目押しをされる可能性を低減でき、従来の遊技機と比較して全ての遊技者に対し公平にすることを主な特徴としている。
【００１８】
先ず、図２に示すように、パチスロ遊技機１００の本体部１の片側にはフロントドア２が開閉可能に軸着されており、フロントドア２を閉じた状態では、図１に示すように、本体部１の前面にフロントドア２が設けられた状態となるようになっている。
【００１９】
図１に示すように、フロントドア２の前面には、音声によるゲームの演出を行うスピーカ部３，３、ゲームの演出表示を行うゲーム演出表示部４、コインの投入を行うためのコイン投入口６、コインのクレジット枚数を表示するクレジット枚数表示部７、コインの払い出し枚数を表示する払出枚数表示部８、限度枚数（例えば、３枚）のコインのベットを行うためのマックスベットボタン９、コインのベットを１枚ずつ行うための１ベットボタン１０、ゲームの進行に関する表示を行うゲーム進行表示部１１、クレジットされたコインの払出を行うためのコイン返却スイッチ１２、ドラムリール２０ａ，２０ｂ，２０ｃの回転を開始させることで変動表示遊技を開始するためのスタートレバー１３、ドラムリール２０ａ，２０ｂ，２０ｃの回転をそれぞれ停止させるためのストップボタン１４ａ，１４ｂ，１４ｃ、フロントドア２を開閉するための鍵が差し込まれる鍵穴１５、フロントドア２の前面の下部領域を構成する飾り板部１６等が設けられ、さらに、フロントドア２の前面の最下部には灰皿１７および払い出されたコインを貯留する下皿１８が配設されている。
【００２０】
さらに、フロントドア２の前面には、内部に設けられたドラムリール２０ａ，２０ｂ，２０ｃを透視可能なリール表示部５が設けられている。
ドラムリール２０ａ〜２０ｃの外周には、図柄（識別情報）が付されたシール２０Ｓがそれぞれ貼付されており、リール表示部５を透視して各ドラムリール２０ａ〜２０ｃ毎に３つずつの図柄が視認可能となっている。
【００２１】
また、図２に示すように、本体部１の内部には、ドラムリール２０ａ〜２０ｃを含むドラム装置（変動表示装置）２００が収容されている。
図３に分解斜視図が示されるように、ドラム装置２００は、ドラムリール２０ａ，２０ｂ，２０ｃをそれぞれ含むドラムリールユニット２１ａ，２１ｂ，２１ｃ、ドラムリールユニット２１ａ〜２１ｃを収納するドラムリール収納部材２２、このドラムリール収納部材２２の内部でドラムリールユニット２１ａ〜２１ｃ同士を仕切るしきり板部材２３，２３、ドラムリール収納部材２２が載置される床部材２４、ドラムリール収納部材２２の側面に設けられ、パチスロ遊技機１００から外部に信号を出力するための外部情報端子板２５等を備えて構成されている。
【００２２】
さらに、図４に分解斜視図が示されるように、ドラムリールユニット２１ａは、ドラムリール２０ａ、ドラムリール２０ａが取付けられるリール取付フレーム２６、ドラムリール２０ａを回転駆動させるためのステッピングモータ２７、図柄（識別情報）毎のバックライトとなる発光部材２８ａ，２８ａ，２８ａを有するリール照明部材２８、各発光部材２８ａ，２８ａ，２８ａによる発光の光路をそれぞれ仕切るしきり部材２９、および、ドラムリール２０ａの回転を検出するための周回検出センサ３０等を備えている。
また、ドラムリールユニット２１ｂ，２１ｃについても、ドラムリールユニット２１ａと同様の構成となっている。
【００２３】
さらに、ドラムリール２０ａは、それぞれリング状に形成された左右のリール部２０Ｌ，２０Ｒと、これらリール部２０Ｌ，２０Ｒの軸心を一致させた状態でこれらリール部２０Ｌ，２０Ｒを接続する例えば細長い板状の接続部２０ｊ，…とを有している。
ここで、シール２０Ｓには、例えば２１個数の図柄が付されており、接続部２０ｊ，…同士の間隔に、３つずつの図柄が配置されるようにして、シール２０Ｓがドラムリール２０ａの周囲に貼付されている（従って、接続部２０ｊ，…は、例えば、都合７つ）。
さらに、リール部２０Ｒの内側には、略十字状に形成された構造体２０Ｋが配設されている。
この構造体２０Ｋには、基準部２０Ｍが設けられており、この基準部２０Ｍが周回検出センサ３０により検出されることで、ドラムリール２０ａの回転数が把握されるようになっている。
また、ドラムリール２０ｂ，２０ｃについても、ドラムリール２０ａと同様の構成となっている。このように、ドラムリール２０ａ〜２０ｃは、それぞれ同様の構成であるので、以下では、ドラムリール２０ｂ、２０ｃの構成についての説明は省略する。
【００２４】
本発明に係るパチスロ遊技機１００においては、図５に示すように、ドラムリール２０ａの接続部２０ｊ，…のうち、いずれかの接続部２０ｊの長手方向に沿って、本発明に係る窪み部２０ｄが形成されている。
この窪み部２０ｄは、シール２０Ｓの厚み逃げ用のものであり、この窪み部２０ｄを貼付起点として、シール２０Ｓがドラムリール２０ａの外周に貼付けられている。
即ち、窪み部２０ｄの起立壁２０ｅに対してシール２０Ｓの一端面Ｔ１が臨むようにして、さらに望ましくは、窪み部２０ｄの起立壁２０ｅに対してシール２０Ｓの一端面Ｔ１が当接するようにして、該シール２０Ｓがドラムリール２０ａの周囲に貼付されている。また、シール２０Ｓは、ドラムリール２０ａの周囲を略一周しており、シール２０Ｓの両端の継ぎ目では、シール２０Ｓの両端部が接続部２０ｊの外周側にて重複する重複部Ｃが形成されている。
さらに、窪み部２０ｄの起立壁２０ｅの高さは、シール２０Ｓの厚さと略同一に設定されている。
【００２５】
このように、ドラムリール２０ａは、シール２０Ｓの貼付起点に窪み部２０ｄを有し、この窪み部２０ｄの起立壁２０ｅに対しシール２０Ｓの一端面Ｔ１が臨むようにして、シール２０Ｓがドラムリール２０ａの周囲に貼付されており、しかも、窪み部２０ｄの起立壁２０ｅの高さは、シール２０Ｓの厚さと略同一に設定されているので、接続部２０ｊとシール２０Ｓの一端部とが面一とされている。これにより、シール２０Ｓの継ぎ目の重複部Ｃは、窪み部２０ｄを跨いで段差を生じないようになっており、シール２０Ｓの両端部が重複する重複部Ｃがドラムリール２０ａの外周側に全く突出しない構成となっている。
従って、遊技者の側から見て、シール２０Ｓの他端側の一本の線だけが視認可能な状態である。
【００２６】
さらに、図２に示すように、窪み部２０ｄは、シール２０Ｓと同じ幅を有するように設定されている（窪み部２０ｄは、接続部２０ｊの長手方向の端から端に亘って形成されており、かつ、図２に示すようにドラムリール２０ａ〜２０ｃの幅がシール２０Ｓの幅と同じに設定され、従って、接続部２０ｊの幅がシール２０Ｓの幅と同じに設定され、従って、窪み部２０ｄの幅がシール２０Ｓの幅と同じに設定されている）。これにより、シール２０Ｓをドラムリール２０ａに貼る際には、シール２０Ｓの一端部がシール２０Ｓの幅方向の全域に亘って、窪み部２０ｄにより位置決めされる。従って、貼付作業を失敗することなく確実にシール２０Ｓを貼付することができる構成となっている。なお、窪み部２０ｄの幅は、少なくともシール２０Ｓと同じ幅だけ有すればよいが、シール２０Ｓと同じ幅であることが望ましい。
【００２７】
加えて、図５に示すように、シール２０Ｓの他端面Ｔ２は、ドラムリール２０ａの回転方向Ａと逆方向側に臨ませられている。
【００２８】
パチスロ遊技機１００は、以上のように構成されていて、コイン投入口６よりコインを投入した状態で、スタートレバー１３を操作することで、ステッピングモータ２７によりドラムリール２０ａ〜２０ｃが回転駆動される。これにより、ドラムリール２０ａ〜２０ｃの周囲に貼付されたシール２０Ｓに付された図柄がリール表示部５において変動表示される変動表示遊技が開始される。
【００２９】
このとき、本発明に係るパチスロ遊技機１００においては、シール２０Ｓの両端部の継ぎ目の重複部Ｃがドラムリール２０ａの外周側に突出しておらず、遊技者の側から見て、シール２０Ｓの他端側の一本の線だけが視認可能な状態であるので、変動表示遊技中において、動体視力の優れた特定の遊技者などにシール２０Ｓの両端部の継ぎ目を認識される可能性が低くなっている。これにより、継ぎ目を基準にして、いわゆる目押しをされにくい構成となっている。
加えて、シール２０Ｓの継ぎ目の重複部Ｃがドラムリール２０ａの外周側に膨らんでいないので、ドラムリール２０ａの空気抵抗を低減できる。従って、よりスムーズなドラムリール２０ａの回転が可能であると共に、空気抵抗によりシール２０Ｓの端部の剥がれてしまうことが防止されている。
【００３０】
加えて、シール２０Ｓの他端面Ｔ２を、ドラムリール２０ａの回動方向と逆方向側に臨ませたことにより、シール２０Ｓの他端面Ｔ２が空気抵抗を生ずることがなく、従って、ドラムリール２０ａの空気抵抗をより少なくすることができる。よって、空気抵抗が少ない分、よりスムーズなドラムリール２０ａの回転が可能であると共に、よりシール２０Ｓの端部が剥がれにくくなっている。
【００３１】
このように、変動表示遊技が開始された後、ストップボタン１４ａ〜１４ｃを操作することでドラムリール２０ａ〜２０ｃの回転駆動がそれぞれ停止され、リール表示部５において、各ドラムリール２０ａ〜２０ｃ毎に３つずつの図柄が停止表示される。
このとき、リール表示部５にて予め設定された有効な表示ライン上において、停止表示された図柄の組合せに応じて、所定数のコインがクレジットされるか、又は下皿１８に払い出される。
さらに、特に、停止表示された図柄が、表示ライン上において特定の組合せ態様（例えば、７，７，７のぞろ目など）となると特定遊技状態を発生して所定の遊技価値（例えば、コインの大量獲得が可能な状態など）を付与可能となる。
【００３２】
この実施の形態のパチスロ遊技機１００によれば、ドラムリール２０ａは、シール２０Ｓの貼付起点にシール厚み逃げ用の窪み部２０ｄを有し、この窪み部２０ｄの起立壁２０ｅに対しシール２０Ｓの一端面Ｔ１が臨むようにして、シール２０Ｓがドラムリール２０ａの周囲に貼付されているので、シール２０Ｓの両端部の継ぎ目において、シール２０Ｓが重複する重複部Ｃがドラムリールの外周側に突出することを極力抑えられる。
特に本実施の形態の場合、窪み部２０ｄの起立壁２０ｅの高さは、シール２０Ｓの厚さと略同一に設定されているので、シール２０Ｓの重複部Ｃがより認識されにくい構成とすることができ、具体的には、遊技者の側から見て、シール２０Ｓの他端側の一本の線のみが視認可能な構成とすることができる。
よって、動体視力の優れた特定の遊技者などにシール２０Ｓの継ぎ目の重複部Ｃを認識される可能性が低く、重複部Ｃを基準にして、いわゆる目押しがしにくいため、従来の遊技機と比較して全ての遊技者に公平であるといえる。
加えて、シール２０Ｓの継ぎ目の重複部Ｃがドラムリール２０ａの外周側に膨らむことが極力抑えられることによって、ドラムリール２０ａの空気抵抗を低減でき、よりスムーズなドラムリールの回転が可能であると共に、シール２０Ｓの端部が空気抵抗により剥がれにくくすることができる。
しかも、窪み部２０ｄがシール貼付時の初期位置の決めになり、容易にシール２０Ｓをドラムリール２０ａに対し所定位置に貼付けることができる。
【００３３】
さらに、窪み部２０ｄは、少なくともシール２０Ｓと同じ幅を有するので、シール２０Ｓを貼る際に、シール２０Ｓの幅方向の全域に亘ってシール２０Ｓの一端部の位置が決まるので、貼付作業を失敗することなく確実にシール２０Ｓを貼付することができる。
【００３４】
加えて、シール２０Ｓの他端面Ｔ２を、ドラムリール２０ａの回転方向と逆方向側に臨ませたことにより、シール２０Ｓの他端面Ｔ２が空気抵抗を生ずることがなく、よりスムーズなドラムリール２０ａの回転が可能であると共に、シール２０Ｓの端部が剥がれにくくすることができる。
【００３５】
＜変形例＞
上記の実施の形態では、シール２０Ｓの両端部の継ぎ目において重複部Ｃが生じる構成を例示したが、この変形例では、継ぎ目において重複部Ｃが生じない構成について説明する。
【００３６】
先ず、この変形例においては、図６に示すように、ドラムリール２０ａの接続部２０ｊのうち、シール２０Ｓの継ぎ目部分に対応する部位には、２つの窪み部２０ｄ，２０ｄが近接して設けられている。換言すれば、接続部２０ｊのうち、シール２０Ｓの貼付起点には、起立壁２０ｅ，２０ｅにより前後を挟まれた凸部が形成された状態となっている。
そして、各々の窪み部２０ｄ，２０ｄの起立壁２０ｅ，２０ｅに、シール２０Ｓの両端面Ｔ１，Ｔ２が臨むようにして、さらに望ましくは、各々の起立壁２０ｅ，２０ｅに、シール２０Ｓの両端面Ｔ１，Ｔ２が当接するようにして、シール２０Ｓがドラムリール２０ａの周囲に貼付されている。
なお、この変形例においても両窪み部２０ｄ，２０ｄの起立壁２０ｅ，２０ｅの高さは、シール２０Ｓの厚さと略同一であるとする。
従って、図６に示すように、シール２０Ｓとドラムリール２０ａの接続部２０ｊとが、完全に面一となり、遊技者の側から見て、シール２０Ｓの継ぎ目が全く認識できない構成とすることができる。よって、より継ぎ目を目安にした目押しがされにくい構成となっており、全ての遊技者に対しより公平なパチスロ遊技機１００とすることができる。
さらに、シール２０Ｓとドラムリール２０ａの接続部２０ｊとが、完全に面一であるので、ドラムリール２０ａの空気抵抗をより低減することができる。
【００３７】
なお、本発明はこの実施の形態のパチスロ遊技機１００に限られるものではなく、例えば、その他のパチスロ遊技機、コインではなく遊技球を用いて遊技を行うパチスロ遊技機、パチンコ遊技機、アレンジボール遊技機、雀球遊技機などの弾球遊技機等にも適用可能である。
さらに、本実施の形態では、ドラムリール２０ａは、左右のリール部２０Ｌ，２０Ｒと、これらリール部２０Ｌ，２０Ｒを接続する接続部２０ｊ，…とを有する構成としたが、ドラムリール２０ａが円筒形状であり、この円筒形状の側面（曲面）に本発明に係る窪み部２０ｄが形成された構成であってもよい。
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３８】
【発明の効果】
請求項１記載の発明に係る遊技機によれば、リールは、一対のリール部と、この一対のリール部の軸心を一致させた状態で、一対のリール部同士を接続する接続部と、を備え、この接続部のうち、シールの貼付起点となる部位に、シールの厚み逃げ用の窪み部を有し、この窪み部の起立壁に対して、シールの一端面を臨ませて、シールをリールの周囲に貼付するので、動体視力の優れた特定の遊技者などにシールの両端部の継ぎ目を認識される可能性が低く、継ぎ目を基準にして、いわゆる目押しがしにくいため、従来の遊技機と比較して全ての遊技者に公平であるといえる。
加えて、継ぎ目がリールの外周側に突出することが極力抑えられることによって、リールの空気抵抗を低減でき、よりスムーズなリールの回転が可能であると共に、シールの端部が空気抵抗により剥がれにくくすることができる。
しかも、シール貼付起点となる接続部に窪み部が設けられるので、シール貼付時の初期位置の決めになり、容易にシールをリールに対して貼付けることができる。
【００３９】
請求項２記載の発明に係る遊技機によれば、ドラムリールは、一対のリール部と、この一対のリール部の軸心を一致させた状態で、一対のリール部同士を接続する接続部と、を備え、この接続部のうち、シールの貼付起点となる部位に、凸部を有し、この凸部の起立壁に対しシールの両端面を当接させて、シールをリールの周囲に貼付するので、動体視力の優れた特定の遊技者などにシールの両端部の継ぎ目を認識される可能性が低く、継目を基準にして、いわゆる目押しがしにくいため、従来の遊技機と比較して全ての遊技者に公平であるといえる。
加えて、継ぎ目がリールの外周側に突出することが極力抑えられることによって、リールの空気抵抗を低減でき、よりスムーズなリールの回転が可能であると共に、シールの端部が空気抵抗により剥がれにくくすることができる。
しかも、シール貼付起点となる接続部に凸部が設けられているので、シール貼付時の初期位置の決めになり、容易にシールをリールに対して貼付けることができる。
【００４０】
請求項３記載の発明に係る遊技機によれば、窪み部の起立壁の高さは、シールの厚さと略同一に設定されているので、シールの両端部の継ぎ目がより認識されにくい構成とすることができる。
また、シールをリールに貼る際には、シールの一端部がシールの幅方向の全域に亘って、窪み部により位置決めされる。従って、貼付作業を失敗することなく確実にシールを貼付することができる構成となっている。
【００４１】
請求項４記載の発明に係る遊技機によれば、凸部の起立壁の高さは、シールの厚さと略同一に設定されているので、遊技者の側から見て、シールの両端部の継ぎ目が全く視認できない構成とすることができる。
【図面の簡単な説明】
【図１】本発明に係る遊技機として例示するパチスロ遊技機を示す正面図である。
【図２】フロントドアを開いた状態でのパチスロ遊技機を示す斜視図である。
【図３】ドラム装置の分解斜視図である。
【図４】ドラムリールユニットの分解斜視図である。
【図５】本発明に係る要部を示すドラムリールの断面図である。
【図６】変形例を示すドラムリールの断面図である。
【図７】従来のドラムリールの断面図である。
【符号の説明】
２０ａ    ドラムリール
２０Ｒ，２０Ｌ  一対のリール部
２０ｊ    接続部
２０Ｓ    シール
Ｔ１      一端面
Ｔ２      他端面
２０ｄ    窪み部
２０ｅ    起立壁
１００    パチスロ遊技機（遊技機）
２００    ドラム装置（変動表示装置）
【図１】
0003958915.tif 000002
【図２】
0003958915.tif 000003
【図３】
0003958915.tif 000004
【図４】
0003958915.tif 000005
【図５】
0003958915.tif 000006
【図６】
0003958915.tif 000007
【図７】
0003958915.tif 000008